(57)【特許請求の範囲】
【請求項１】
正面及び背面に開口部が形成され、正面方向の断面形状が長方形の筒状体からなるとともに、内部から前記正面及び背面の開口部に向かってそれぞれ広がる抜き勾配を有する、アルミダイキャストによって一体成形されたボディーと、
筐体全体の重心の上方において、前記ボディーに設けられ、ワイヤーによって吊り下げる支点が移動可能な吊り下げ部と、
前記ボディーの正面および背面側の下側に設けられた回動手段と、
前記回動手段に回動自在に支持され、前記開口部を覆うカバーと、
を備えたことを特徴とするワイヤー取付型情報通信機器用屋外筐体構造。
【請求項２】
前記ボディーの開口部の周囲に形成され前記カバーと接触する接触面に、防水ガスケットを配設したことを特徴とする請求項１記載のワイヤー取付型情報通信機器用屋外筐体構造。
【請求項３】
前記ボディー及び／又はカバーの内部に、情報通信機器に用いられる電子部品を実装したことを特徴とする請求項１又は２に記載のワイヤー取付型情報通信機器用屋外筐体構造。
【請求項４】
前記ボディーの内部に、配線用の貫通孔を有し、情報通信機器に用いられる電子部品が実装される取付け板を、着脱可能に設けたことを特徴とする請求項１〜３のいずれか一項に記載のワイヤー取付型情報通信機器用屋外筐体構造。
【発明の詳細な説明】
【０００１】
【発明の属する技術分野】
本発明は、ワイヤー取付型情報通信機器用屋外筐体構造に関し、特に、ワイヤ−（例えば、メッセンジャーワイヤーと呼ばれる地上に張られたワイヤー）に吊り下げられ、かつ、ＣＡＴＶ（ケーブルテレビ）用中継器等の各種情報通信機器を収納するワイヤー取付型情報通信機器用屋外筐体構造に関する。
【０００２】
【従来の技術】
従来、ケーブルを利用した情報通信技術において、減衰した信号を増幅等するために、中継器等の各種情報通信機器が使用されてきた。
そして、これら各種情報通信機器を収納する目的で、様々な筐体構造が開発、実用化されてきた。
【０００３】
（従来例）
上記筐体構造として、例えば、図８に示すように、ケーブルとともに張られたワイヤー２に、吊り下げ部１２５によって吊り下げられ、屋外に設置されるワイヤー取付型屋外筐体構造１２０がある。
この筐体構造１２０は、電子部品（適宜、電子回路ユニットと略称する。）を実装するための一つの開口部（図示せず）を有する一個のボディー１２２と、このボディー１２２を覆う一個のカバー１２１とで構成してある。
【０００４】
ここで、カバー１２１は、ボディー１２２側の一面に開口部を有する箱型形状としてあり、下端に設けられたヒンジ（図示せず）により、回動自在にボディー１２２に取り付けてある。
また、カバー１２１は、上部に配設されたボルトを用いた固定手段１２３により、開口部を覆うように、ボディー１２２に取り付けられる。
そして、カバー１２１は、ボディー１２２の開口部の周囲に形成された接触面１２４（図中、カバー１２１の一部分を省略して図示してある。）と接触することにより、筐体内部に雨水などが浸入しないように防水機能を発揮する。
【０００５】
また、ボディー１２２は、カバー１２１側の一面に開口部を有する箱型形状としてあり、内部に電子回路ユニットが収納される構成としてある。
また、ボディー１２２は、両端上部に、ワイヤー２にボディー１２２を吊り下げるための吊り下げ部１２５が突設してある。
【０００６】
カバー１２１及びボディー１２２は、筐体構造１２０が屋外に設置されるので、物理的強度，放熱性，日射などに対する耐熱性及び軽量化などを考慮して、プラスチック材料やアルミ材料などが使用されている。
また、カバー１２１及びボディー１２２は、雨水などの浸入を防止するとともに、製造コストを低減する目的で、板金加工や切削加工ではなく、金型による成形加工によって製造される。
【０００７】
そして、上記構造を有する屋外筐体構造１２０は、カバー１２１を開いた状態で、カバー１２１及びボディー１２２の内部に、電子回路ユニット（図示せず）が実装される構成としてある。
また、これらの実装された電子回路ユニットは、ボディー１２２の側面から挿し込まれたケーブルと電気的に接続される構成となっている。
【０００８】
ところで、近年、ＣＡＴＶを含む各種情報通信装置の普及や、情報通信技術の発達などにともない、中継器等の電子回路ユニットの容積が増大し、大容量の筐体を必要とする場合がある。
このような場合に、従来例における筐体構造を維持したまま、カバーおよびボディーの長さ，高さ及び奥行き方向の各寸法を長くし、単純に大型化した筐体に電子回路ユニットを収納する筐体構造が用いられてきた。
【０００９】
また、屋外筐体構造が、ワイヤー取付型であるときは、カバー及びボディーの高さを高くすると、ワイヤーを中心とする設置範囲が大きくなってしまうといった不都合があり、この不都合を回避するために、主に奥行き方向の寸法を長くすることにより、筐体を大型化した筐体構造が用いられてきた。
【００１０】
【発明が解決しようとする課題】
しかしながら、通常使用される屋外用の筐体構造は、上述したように、金型による成形加工で製造したカバーやボディーを使用していることから、カバー及びボディーを単純に大型化すると、金型製造の基本条件である抜き勾配（テーパ）も、大きく形成する必要がある。
このため、特に、奥行き方向の寸法を長くした場合は、開口部の断面に対し奥行き方向に向かうほど断面が小さくなるので、その分、大型の電子回路ユニットの実装が制限されたり、電子回路ユニットを効率良く収納できないといった問題があった。
【００１１】
また、電子回路ユニットの収納効率を高めるために、ボディーの奥側に電子回路ユニットを実装し、さらに、この電子回路ユニットの手前側にも電子回路ユニットを実装した場合、ボディーの奥側に実装した電子回路ユニットを点検したり交換したりする際に、この電子回路ユニットの手前側に実装した電子回路ユニットを、取り外さなければならないことがあり、保守等における実装作業性が悪いといった問題があった。
【００１２】
また、一般的に、カバーとボディーに大規模な電子回路ユニットが実装されると、これらの電子回路ユニット間の電気的接続数が増加するので、必然的に接続に用いられるケーブル数も増加する。
そして、これら橋渡しされたケーブルが増えると、カバーを閉める際に、ボディーとカバーの間にケーブルを挟み込む危険性が高くなり、防水性能も低下させるといった問題があった。
【００１３】
本発明は、このような従来の技術が有する問題を解決するために提案されたものであり、電子回路ユニットを効率よく収納でき、かつ、実装作業性に優れ、さらに、ケーブルの挟み込みによる防水性能の低下を回避できるワイヤー取付型情報通信機器用屋外筐体構造の提供を目的とする。
【００１４】
【課題を解決するための手段】
上記目的を達成するため、本発明のワイヤー取付型情報通信機器用屋外筐体構造は、正面及び背面に開口部が形成され、正面方向の断面形状が長方形の筒状体からなるとともに、内部から前記正面および背面の開口部に向かってそれぞれ広がる抜き勾配を有する、アルミダイキャストによって一体成形されたボディーと、筐体全体の重心の上方において、前記ボディーに設けられ、ワイヤーによって吊り下げる支点が移動可能な吊り下げ部と、前記ボディーの正面および背面側の下側に設けられた回動手段と、前記回動手段に回動自在に支持され、前記開口部を覆うカバーと、を備えた構成としてある。
【００１５】
このようにすると、ボディーの両側から電子回路ユニットを実装できるので、点検等における実装作業性を向上させることができる。また、カバーの内側に電子回路ユニットを実装する際の実装作業性を改善することができるとともに、容易にカバーを閉めることができる。さらに、ボディーおよびカバーを金型成形により製造する場合に、ボディーの両側で型開きを行うようにすることができるので、ボディーの抜き勾配を小さくすることができる。そのため、抜き勾配による断面積の減少をきわめて小さくすることができ、大規模な電子回路ユニットの実装が制限されることがなく、また、多くの電子回路ユニットを効率良く収納することができる。さらに、実装する電子回路ユニットによって、筐体の重心位置がずれた場合であっても、吊り下げ部を移動させることができ、筐体が斜めに吊るされるといった不具合を防止することができる。
【００１７】
また、このように、アルミ材料などの軽量で剛性および耐熱性等を有する材料を用いることにより、直射日光や風雨などの屋外の設置環境に耐えることができる。
【００２０】
また、本発明のワイヤー取付型情報通信機器用屋外筐体構造は、前記ボディーの開口部の周囲に形成され前記カバーと接触する接触面に、防水ガスケットを配設した構成としてある。
【００２１】
このようにすると、ボディーとカバーの接触面における防水シール性を高めることができる。
【００２２】
また、本発明のワイヤー取付型情報通信機器用屋外筐体構造は、前記ボディー及び／又はカバーの内部に、情報通信機器に用いられる電子部品を実装した構成としてある。
【００２３】
このようにすると、筐体内部の空間を有効利用することができ、たとえば、電子回路ユニットの収納率を向上させることができる。
【００２４】
また、本発明のワイヤー取付型情報通信機器用屋外筐体構造は、前記ボディーの内部に、配線用の貫通孔を有し、情報通信機器に用いられる電子部品が実装される取付け板を、着脱可能に設けた構成としてある。
【００２５】
このようにすると、電子回路ユニットを取付け板に実装した状態で、筐体に収納することができるので、たとえば、電子回路ユニットの収納率をさらに向上させることができる。また、取付け板に、配線用の貫通穴を設けることにより、配線ルートが制限されないので、電子回路ユニットを高密度で実装することができる。
【００２６】
【発明の実施の形態】
以下、本発明のワイヤー取付型情報通信機器用屋外筐体構造の実施形態について、図面を参照して説明する。
なお、本実施形態では、ＣＡＴＶ中継装置などの通信機器に使用され、ワイヤーに吊り下げられる屋外用の筐体構造としてあるが、これらの条件に限定されるものではない。
【００２７】
図１は、本発明における筐体構造の実施形態を説明するための概略斜視図を示している。
また、図２は、本発明の筐体構造の実施形態において、二個のカバーが開いた状態を説明するための概略斜視図を示している。
【００２８】
図１および図２における筐体構造は、ワイヤー取付型情報通信機器用屋外筐体構造（以下、適宜、筐体構造と略称する。）としてあり、ワイヤー２に吊り下げるための吊り下げ部３が設けられ、対向する開口部８と開口部９（図７参照）が形成された任意の断面形状の筒状体からなるボディー４と、ボディー４の開口部８，９を覆うカバー５とを備えた構成としてある。
【００２９】
ここで、ボディー４及びカバー５は、プラスチック材料やアルミ材料などの軽量で剛性および耐熱性等を有する材料からなり、直射日光や風雨などの屋外の設置環境に耐えることができる。
また、ボディー４及びカバー５は、金型成形によって製造されるので、量産時における製造コストを低減することができる。
【００３０】
ボディー４は、正面方向の断面形状がほぼ長方形の筒状体としてあり、正面および背面に、開口部８，９が形成され、上面および下面に、放熱効率を改善するためのフィンを設け、両側面にケーブルを貫通させる貫通孔および閉止プラグを配設してある。
【００３１】
また、ボディー４は、正面側と背面側に開口部８，９を有しているので、ボディー４の内部に電子回路ユニットを実装したり、実装した電子回路ユニットを点検，交換などする際に、開口部８，９から作業することができるので、実装作業性を向上させることができる。
【００３２】
また、ボディー４は、大型の電子回路ユニット等を収納するために、奥行き方向の寸法を大きくした場合であっても、金型成形において、ボディー４の前後に二つの開口部８，９を有する筒状体としてあるので、分割した中型を正面方向と背面方向に抜くことができ、抜き勾配を小さくすることができる。
したがって、ボディー４は、抜き勾配による内部空間の減少が少なく、かつ、ほぼ直六面体に近い内部空間が形成されるので、大型の電子回路ユニットの実装が制限されるといった問題を解消でき、また、電子回路ユニットを効率良く収納できる。
【００３３】
また、ボディー４は、上面の左右端部に吊り下げ部３が設けてある。この吊り下げ部３は、左右方向に張られたワイヤー２にボディー４を吊り下げる構造としてある。
このようにすると、通常、ワイヤ−２と平行に張られるケーブルを、無駄に引き廻すことなくボディー４に取り込むことができ、ケーブル代を節約することができる。
【００３４】
ここで、好ましくは、吊り下げ部３は、ワイヤー２に吊り下げる支点が、電子回路ユニットの実装された筐体の全体の重心の上方に位置するとよく、このようにすると、ワイヤー２に吊り下げられた筐体が傾くことを防止することができる。
【００３５】
また、さらに好ましくは、図示はしないが、筐体全体の重心の上方に、吊り下げる支点を移動できるように、吊り下げ部３をボディー４に締結するボルト用穴を長穴とするとよく、このようにすると、実装する電子回路ユニットによって、筐体の重心位置がずれた場合であっても、吊り下げ部３を移動させることができ、筐体が斜めに吊るされるといった不具合を防止することができる。
【００３６】
ボディー４は、正面および背面側端部の下側に、回動手段であるヒンジ１２が等間隔で各三箇所に配設され、また、正面および背面側端部の上側に、回動するナットとこのナットにねじ締めされるボルトとからなる固定手段１３が、等間隔で各三箇所に配設されている。
【００３７】
なお、カバーの取付け構造は、上記回動式に限定するものではなく、取り外し式としてもよく、また、回動方向も上記上下方向に限定するものではなく、例えば、左右方向に回動する構成としてもよい。
【００３８】
このようにすると、カバー５は、ヒンジ１２によってボディー４に開閉自在に取り付けられるので、例えば、カバー５の内側に電子回路ユニットを実装する際の実装作業性を改善することができるとともに、容易にカバー５を閉めることができる。
【００３９】
また、開口部８，９を覆うカバー５は、シール面１１が、ボディー４の開口部８，９の周囲に形成された接触面２４に、ほぼ均等な押力で押し付けられて接触するので、シール性が改善され、防水性能を高めることができる。
【００４０】
ここで、好ましくは、図２および図３に示すように、接触面２４に、防水ガスケット１０を配設した構成とするとよく、このようにすると、ボディー４とカバー５の接触面２４における防水性能をより高めることができる。
防水ガスケット１０は、防水性を有する材料からなる環状体としてあり、例えば、耐熱ゴムからなるＯリングや、シート状のパッキンなどでもよい。
【００４１】
また、好ましくは、図３に示すように、ボディー４は、内部に、電子回路ユニットが実装される着脱可能な取付け板１９を設けた構成とするとよく、このようにすると、電子回路ユニット１４の厚さに応じて、取付け板１９を増減することができ、また、電子回路ユニット１４の厚さ応じて、複数の取付け板１９を配設することができるので、電子回路ユニット１４の収納率を向上させることができる。
なお、取付け板１９は、例えば、ねじを用いてボディー４の取付け部２１に着脱可能に取り付けることができる。
【００４２】
また、取付け板１９に、配線用の貫通穴２０を設けることにより、配線ルートが制限されないので、電子回路ユニットを高密度で実装することができ、例えば、ボディー４の内部に、全ての電子回路ユニットを実装することも可能となる。
【００４３】
また、ボディー４の内部に実装された電子回路ユニットは、配線距離が短い状態でケーブルと電気的に接続させることができる。
したがって、ボディー４の内部に、例えば、取付け板１９等を利用して、できるだけ多くの電子回路ユニットを実装するとよく、このようにすると、カバー５の内部に実装される電子回路ユニットが減るので、カバー４とボディー５の間のケーブル量を極力少なくすることが可能となり、ケーブルおよび配線の材料費を低減することができる。なお、カバー５の内部に電子回路ユニットを実装しないことが、最も望ましい。
【００４４】
また、カバー５とボディー４の間の配線やケーブルを少なくすることにより、カバー５を開閉する際、カバー５とボディー４の間に、ケーブル等を挟み込む危険性が低減され、ケーブル挟み込みによって外部から水が浸入する可能性を排除することができるので、結果的に、防水信頼性を向上させることができる。
【００４５】
カバー５は、ボディー４側の一面に開口部を設けた箱型形状としてあり、開口部の周囲の端面は、ボディー４の接触面２４に応じたシール面１１を形成してあり、上記固定手段１３によりボディー４の接触面２４と接触し、防水性能を発揮する構成としてある。
【００４６】
また、カバー５の内部に、電子回路ユニットを実装可能とすることにより、筐体内部の空間を有効利用することができ、筐体全体として、電子回路ユニットの収納率を向上させることができる。
なお、カバー５に実装する電子回路ユニットとして、配線の少ない電子回路ユニットを実装するとよく、このようにすると、カバー５とボディー４の間に、ケーブル等を挟み込む危険性が低減できる。
【００４７】
なお、通常、筐体構造においては、ボディー４の内部容積がカバー５の内部容積より大きいので、電子回路ユニットの形状、大きさ等を考慮して、各電子回路ユニットの配置構成を決定するとよい。
【００４８】
例えば、実装する電子回路ユニットが、大型のメイン電子回路ユニットと、複数の小型のサブ電子回路ユニットである場合は、図４に示すように、背面側の開口部９に、大型のメイン電子回路ユニット１５を実装し、さらに、図５に示すように、正面側の開口部８に、小型のサブ電子回路ユニット１６を積み重ねて実装する構成とすることができる。
【００４９】
このようにすると、ボディー４の両側から電子回路ユニット１５，１６を実装することができるので、効率良く電子回路ユニットを実装することができる。
また、ボディー４の内部空間が、直方体に近い形状となっているので、サブ電子回路ユニットを積み重ねるように実装できるので、収納効率を高めることができる。
【００５０】
また、好ましくは、カバー５に、サブ電子回路ユニットを実装するとよく、例えば、図４に示すように、背面側のカバー５に、サブ電子回路ユニット１７を実装し、また、図５に示すように、正面側のカバー５に、二つのサブ電子回路ユニット１８を並べて実装するとよく、このようにすると、カバー５の内部空間を有効利用することができるので、電子回路ユニット１７，１８の収納効率をより向上させることができる。
【００５１】
さらに、図４に示すように、ボディー４の内部に、大型でかつ重いメイン電子回路ユニット１５を実装してあるので、奥行きの小さい軽量化されたカバー４を使用することができ、カバー開閉動作を容易にかつ安全に行うことができる。
【００５２】
なお、ボディー４およびカバー５は、図６、図７に示すように、予め、実装される電子回路ユニットを取り付けるねじ穴等の取付け部２１が設けてあり、例えば、取付け板１９（図３参照）は、この取付け手段１９に取り付け可能な形状としてあるので、実装寸法の異なる電子回路ユニット１４に対しては、取付け板１９を介して実装することができる。
【００５３】
上述したように、本実施形態における筐体構造によれは、ボディー４の内部に取付け板１９を設けて、両方の開口部８，９より異なる電子回路ユニット１５，１６を実装することが可能となるので、実装作業性を向上することができる。
【００５４】
また、ボディー４を金型成形（アルミダイキャスト成形や射出成形など）する場合は、金型の抜き勾配により実装容積が減ってしまうが、ボディー４を筒状構造とすることにより、ボディー内部の実装容積の減少を抑えることができるので、内部空間を有効活用することができ、電子回路ユニット１５，１６の収納効率を向上させることができる。
【００５５】
なお、ボディー４およびカバー５の形状は、上記形状に限定するものではなく、例えば、風，雨，雪などの悪影響（具体的には、風の抵抗や、上面に積もる雪など）を考慮して、角部を円弧状に面取りした形状としてもよく、また、設置条件や実装される電子回路ユニット１５，１６の形状を考慮した形状としてもよい。
【００５６】
【発明の効果】
以上説明したように、本発明の筐体構造は、ボディーの両側から電子回路ユニットを実装できるので、実装作業性を向上させることができ、また、ボディーおよびカバーを金型成形により製造する場合に、ボディーの両側で型開きを行うようにすることができるので、抜き勾配による断面積の減少をきわめて小さくすることができ、大規模な電子回路ユニットの実装が制限されることがなく、また、多くの電子回路ユニットを効率良く収納することができる。
【００５７】
また、本発明の筐体構造は、カバーを回動させて、開閉できるので、カバーの内側に電子回路ユニットを実装する際の実装作業性を改善することができ、さらに、筐体内部の空間に取付け板を用いて実装することにより、電子回路ユニットの収納率をさらに向上させることができる。
【図面の簡単な説明】
【図１】本発明における筐体構造の実施形態を説明するための概略斜視図を示している。
【図２】本発明の筐体構造の実施形態において、二個のカバーが開いた状態を説明するための概略斜視図を示している。
【図３】本発明の筐体構造の実施形態において、取付け板と防水ガスケットを説明するための要部の概略斜視図を示している。
【図４】本発明の筐体構造の実施形態において、電子回路ユニットの実装状態を説明するための概略斜視図を示している。
【図５】本発明の筐体構造の実施形態において、電子回路ユニットの実装状態を説明するための概略斜視図を示している。
【図６】本発明の筐体構造の実施形態において、カバーおよびボディーの内部を説明するための概略斜視図を示している。
【図７】本発明の筐体構造の実施形態において、カバーおよびボディーの内部を説明するための概略斜視図を示している。
【図８】本発明の従来例にかかる筐体構造を説明するための概略斜視図を示している。
【符号の説明】
２  ワイヤー
３  吊り下げ部
４  ボディー
５  カバー
８  開口部（正面側）
９  開口部（背面側）
１０  防水ガスケット
１１  シール面
１２  ヒンジ
１３  固定手段
１４  電子回路ユニット
１５  メイン電子回路ユニット
１６  サブ電子回路ユニット
１７  サブ電子回路ユニット
１８  サブ電子回路ユニット
１９  取付け板
２０  貫通穴
２１  取付け部
２４  接触面
１２０  ワイヤー取付型屋外筐体構造
１２１  カバー
１２２  ボディー
１２３  固定手段
１２４  接触面
１２５  吊り下げ部
【図１】
0004037606.tif 000002
【図２】
0004037606.tif 000003
【図３】
0004037606.tif 000004
【図４】
0004037606.tif 000005
【図５】
0004037606.tif 000006
【図６】
0004037606.tif 000007
【図７】
0004037606.tif 000008
【図８】
0004037606.tif 000009